(57)【要約】【課題】受け皿の球詰まりを解消して、受け皿内の遊技球をスムーズに球発射装置側の球送り口に送ることができるパチンコ遊技機を提供する。【解決手段】パチンコ遊技機には、入賞時に所定数の賞球を払い出す賞球払出装置１１と、賞球払出装置１１から払い出された遊技球を一時貯留すると共に球発射装置１０側に送る流路を形成する受け皿７と、が設けられる。球発射装置１０が遊技機の下部寄りの略中央に配設され、受け皿７の横幅が遊技機の横幅の略半分に形成され、受け皿７内の払出口７１近傍の下流側の壁部に膨出部７５が設けられる。【選択図】図４
2006212270.tif 000002
【特許請求の範囲】
【請求項１】
入賞時に所定数の賞球を払い出す賞球払出装置と、該賞球払出装置から払い出された遊技球を一時貯留すると共に球発射装置側に送る流路を形成する受け皿と、備えたパチンコ遊技機において、
該球発射装置が遊技機の下部寄りの略中央に配設され、該受け皿の横幅が前面枠の横幅の略半分に形成され、該受け皿内の払出口近傍の下流側の壁部に、膨出部が設けられたことを特徴とするパチンコ遊技機。
【請求項２】
前記膨出部は、前記受け皿の払出口の側壁近傍から前方に突出し形成され、且つ流下方向に沿って前方への突出し長が徐々に減少する形状に形成されることを特徴とする請求項１記載のパチンコ遊技機。
【請求項３】
前記受け皿の略中央の壁部に、ファール球を該受け皿に戻すためのファール球出口が設けられ、該受け皿の払出口と該ファール球出口との間に、突出し長さより幅の狭い形状の膨出部が前方に突出するように設けられたことを特徴とする請求項1記載のパチンコ遊技機。
【請求項４】
前記受け皿の底部に、前記払出口近傍の流下面から前記膨出部近傍の流下面へと下がる段差が設けられたことを特徴とする請求項２または３記載のパチンコ遊技機。
【発明の詳細な説明】
【技術分野】
【０００１】
本発明は、パチンコ遊技機に関し、特に受け皿内の遊技球の流下をスムーズに行なうようにしたパチンコ遊技機に関する。
【背景技術】
【０００２】
パチンコ遊技機には、通常、前面枠または前面枠の中央下部に、発射用の遊技球を貯留する受け皿が配設され、その受け皿に貯留された遊技球を１個ずつ球発射装置に送り、遊技球を遊技盤の遊技領域内に発射するようにしている。
【０００３】
受け皿は、通常、その流下面形状の幅が、賞球を払い出す払出口から球発射装置への送出口に向けて、徐々に狭くなり最終的に遊技球を１列に整列させて送るように、細く形成されている。また、受け皿の底部は、その送出口側に向かって低くなるように形成されているため、賞球払出装置から多くの賞球が払い出され、多くの遊技球が受け皿に貯留され流下する状態になると、受け皿内の遊技球を整列される整列部分において、遊技球が相互に圧接された状態となりやすい。
【０００４】
そして、このような遊技球の相互の圧接状態が大きくなると、遊技球が架橋状態となって球詰まりが発生し、球発射装置側に遊技球が流下できない状態となって、球発射装置に空打ちが発生する問題があった。
【０００５】
そこで、従来、下記特許文献１において、受け皿の底部に振動発生機を取り付け、受け皿内で遊技球の球詰まりが発生した場合、受け皿の底壁を振動させて球詰まりを解消するパチンコ遊技機が提案されている。
【特許文献１】特開２００１−２９６０８号公報
【発明の開示】
【発明が解決しようとする課題】
【０００６】
しかし、このような受け皿に振動発生機を取り付けた場合、遊技球の球詰まりを検出する球詰まり検出器を設ける必要があり、正確に球詰まりを検出するためには、複雑な構成の検出器を設置しなければならず、また、遊技中に遊技者の直前の受け皿で振動を発生することになるため、遊技中の遊技者に少なからぬ違和感を与えやすいという課題があった。
【０００７】
本発明は、上述の課題を解決するものであり、受け皿の球詰まりを解消して、受け皿内の遊技球をスムーズに球発射装置側の球送り口に送ることができるパチンコ遊技機を提供することを目的とする。
【課題を解決するための手段】
【０００８】
上記の目的を達成するために、本発明のパチンコ遊技機は、入賞時に所定数の賞球を払い出す賞球払出装置と、賞球払出装置から払い出された遊技球を一時貯留すると共に球発射装置側に送る流路を形成する受け皿と、備えたパチンコ遊技機において、球発射装置が遊技機の下部寄りの略中央に配設され、受け皿の横幅が前面枠の横幅の略半分に形成され、受け皿内の払出口近傍の下流側の壁部に膨出部を設けたことを特徴とする。
【０００９】
ここで、請求項２のように、上記膨出部は、払出口の側壁近傍から前方に突出し、流下方向に沿って前方への突出し長が徐々に減少する形状に形成することができる。
【００１０】
また、請求項３のように、受け皿の略中央の壁部に、ファール球を受け皿に戻すためのファール球出口が設けられ、払出口とファール球出口との間に、突出し長さより幅の狭い形状の膨出部を前方に突き出すように設けることができる。
【００１１】
また、受け皿の底部に、払出口近傍の流下面から膨出部近傍の流下面へと下がる段差を設けることができる。
【発明の効果】
【００１２】
上記構成のパチンコ遊技機では、球発射装置が遊技機の下部寄りの略中央に配設され、受け皿の横幅が前面枠の横幅の略半分に形成されるため、受け皿内の底部の流下長さが比較的短くなる。また、受け皿の横幅が短くなるほど受け皿の貯留面積が減少するため、その減少分を補うために、受け皿の形状は比較的前方に大きく膨出した形状になる。
【００１３】
このため、払出口から払い出された遊技球は、一旦払出口の直前の比較的広い流下面に流れ出て、その後、向かって右に曲がり球送り口に向けて急激に球の流路が狭められる。このときに、遊技球が相互に圧接された状態となり、遊技球の相互の圧接状態が大きくなると、遊技球の架橋姿勢によって球詰まりが発生しやすい。
【００１４】
しかしながら、上記構成のパチンコ遊技機では、受け皿内の払出口近傍の下流側の側面に膨出部を設けているため、払出口を出て受け皿の流下面に流れ出た遊技球は、膨出部を巻くように流下し、その流下距離が長くなる。このために、遊技球の流路が狭められる割合が緩やかとなり、遊技球が相互に圧接する圧力が減少し、これによって球詰まりが生じにくくなって、遊技球をスムーズに球送り口に流下させることができる。
【発明を実施するための最良の形態】
【００１５】
以下、本発明の一実施形態を図面に基づいて説明する。図１はパチンコ遊技機の正面図を示し、図２は前面枠１ａを外した中枠１の正面図を示している。中枠１の中央部には、遊技盤２が着脱可能に取り付けられ、遊技盤２上には中央の遊技領域を囲うように外レール３と内レール４が配設されている。なお、図面上では、遊技盤２上に打設される障害釘、各種役物、表示装置、入賞口などは省略されている。
【００１６】
図２に示すように、遊技盤２の正面視において、左下側の外レール３の下端部と内レール４の間に、発射された遊技球を導入するための導入口５が形成されている。この導入口５は左端部から遊技盤２の下側の中央部、つまり斜め下方の中央部に向けて開口して形成される。そして、遊技球を一定の発射方向と飛距離でその導入口５に向けて発射し、安定した遊技球の発射を行なうために、球発射装置１０が、その遊技盤２の下側の略中央位置に設置されている。
【００１７】
球発射装置１０の正面側つまり前面枠１ａの内側には、図１のように、後述の受け皿７から送られる遊技球を１個ずつ発射装置に供給するための球送り装置１２が配設されている。図１の正面図において、発射ハンドル９が右側下部に設けられ、その左側には、球抜きボタン１９などが設けられている。さらに、中枠１の内側左部に、入賞時に賞球を払い出す賞球払出装置１１が縦に取り付けられ、賞球払出装置１１の下部には、図２に示すように、賞球を送出する賞球送出口１３が中枠１の前方に露出して設けられる。
【００１８】
中枠１の前に前面枠１ａが開閉可能と装着され、その前面枠１ａの前面には、図１に示すように、遊技盤２の遊技領域の下側位置に、小形の補助受け皿８が前面に突き出すように設けられ、さらに、補助受け皿８の下側に、メインの受け皿７が前面に突き出すように配設される。補助受け皿８は、遊技機の外部に設けられた台間球貸し機などから遊技球を供給する際に使用され、球貸し機の供給ノズルの高さ位置に合わせるように設置され、補助受け皿８の内部は、図３のように、連通路１８を通して下方の受け皿７に連通し、補助受け皿８に供給された遊技球はその下の受け皿７に送られる。
【００１９】
受け皿７は、賞球払出装置１１から払い出された賞球を含む遊技球を一時貯留すると共に、遊技球を整列状態として球送り装置１２に送る流路となるもので、図１、図３、図４に示すように、前面枠１ａの略左半分の横幅で形成されている。つまり、球発射装置１０及び球送り装置１２が遊技機の略中央に設置され、そこに遊技球を送る必要性から、受け皿７はその送出側の球送り口７６を略中央に設ける必要がある。そのために、受け皿７の横幅は遊技機つまり前面枠１ａの横幅の略半分に形成されている。
【００２０】
また、受け皿７は、その横幅が遊技機の横幅の略半分に形成されるため、受け皿７内の底面つまり球の流下面の流下長さが比較的短くなる。そして、受け皿７の横幅が短くなるほど受け皿７の貯留面積が減少するため、図３、図４に示すように、その減少分を補うために、受け皿７の形状は比較的前方に大きく膨出した形状となっている。受け皿７の内部左側には、遊技球の払出口７１が設けられ、この払出口７１は、図５に示すように、前面枠１ａの内部に設けられた賞球通路１４に内部で連通している。
【００２１】
賞球通路１４の上部に設けられた通路口１４ａは、上記の賞球払出装置１１の下部の賞球送出口１３に接続される。また、ファール球通路１５も、賞球通路１４に連通接続されている。さらに、受け皿７の内部右側には、図４のように、遊技球を１列に整列させて球送り装置１２に送るために、球送り口７６が設けられている。この球送り口７６は前面枠１ａの内側で、球送り装置１２に連通している。
【００２２】
さらに、図３、図４に示すように、受け皿７内の払出口７１近傍における下流側の壁部には、膨出部７５が設けられている。この膨出部７５は、払出口７１近傍の側壁部から前方に突出し、下流側に向かって前方への突出し長が徐々に減少する形状に形成されている。また、受け皿７の流下面には、皿球抜き穴１６が設けられ、この皿球抜き穴１６には電磁ソレノイドにより開閉される開閉板が設けられている。球抜きの際、球抜きボタン１９を操作すると、その開閉板が開き、皿球抜き穴１６が開放される構造である。
【００２３】
受け皿７の底部の流下面は、払出口７１側から球送り口７６側に向かってなだらかに下方に傾斜して形成されている。また、その底部流下面には、払出口近傍に第１流下面７２が形成され、皿球抜き穴１６を通る段差７３を介してその下流側に第２流下面７４が形成され、受け皿７の払出口近傍の第１流下面７２から膨出部７５近傍の第２流下面７４へと下がる段差７３が設けられている。このような流下面に段差７３を設けることにより、その段差７３を通過する球列の相互の圧接状態を壊すことができるため、球詰まりを解消して、遊技球の流れをスムーズにすることができる。
【００２４】
さらに、受け皿７内の膨出部７５に対向した内側前部には、図３、図４に示すように、凸状曲面壁部７７が内側に膨出するように設けられ、これにより、受け皿７内の下流部分が徐々に狭窄され、遊技球の流れを最終的に１列に整列させるように形成されている。
【００２５】
上記構成のパチンコ遊技機では、台間球貸し機などから遊技球が補助受け皿８に供給されると、或は入賞時に賞球払出装置１１から賞球が払い出されると、遊技球は補助受け皿８から連通路１８を通り、或は賞球送出口１３から賞球通路１４を通り、払出口７１から受け皿７内に遊技球が送出される。
【００２６】
このとき、払出口７１から受け皿７に払い出された遊技球は、一旦払出口７１の直前の比較的広い第１流下面７２を前方に進み、その後、前部の曲面壁部により右側に方向を変えて下流側に流下していく。つまり、払出口７１の直前の比較的広い第１流下面７２を前方に進みながら、膨出部７５を巻くように右に曲がり、球送り口７６に向けて流下していく。
【００２７】
したがって、非常に多くの賞球が払い出された場合であっても、遊技球は、受け皿７内で膨出部７５を巻くように流れ、膨出部が無い場合に比べ、その流下距離は比較的長くなる。このため、遊技球の流路の幅は、球送り口７６に近づくにしたがい狭められるものの、その流下距離に対して狭窄される割合が緩やかとなる。このために、受け皿７内を流下する遊技球が相互に圧接する圧力が減少し、これによって球詰まりが生じにくくなり、遊技球はスムーズに球送り口７６に流下することになる。
【００２８】
そして、球送り口７６を通過して球送り装置１２に入った遊技球は、１個ずつ所定のタイミングで球発射装置１０に供給され、球発射装置１０の発射動作によって、遊技球は遊技領域に向けて発射される。
【００２９】
このように、受け皿７内の払出口７１近傍の下流側の側壁部に膨出部７５を設けているため、払出口７１を出て受け皿７の流下面７２に流れ出た遊技球は、膨出部７５を巻くように流下し、その流下距離が長くなるから、膨出部７５が無い場合に比べ、遊技球の流路が狭められる割合が緩やかとなり、遊技球が相互に圧接する圧力が減少し、これによって球詰まりが生じにくくなり、遊技球をスムーズに球送り口に流下させることができる。
【００３０】
図６、図７は受け皿の他の実施形態を示し、この例の受け皿８０は、膨出部８５が短い幅で前方に、突堤状に突出して設けられている。すなわち、受け皿８０は、上記と同様に、その横幅が遊技機の横幅の略半分に形成され、受け皿８０の流下面つまり球の流下面の流下長さが比較的短く形成される。そして、上記と同様に、可能な限り流下面の面積を大きくするために、受け皿８０の形状は比較的前方に大きく膨出した形状となっている。また、受け皿８０の内部左側には、遊技球の払出口８１が設けられ、この払出口８１は、前面枠１ａの内部に設けられた賞球通路１４に内部で連通している。
【００３１】
受け皿８０の内部右側には、図６，７のように、遊技球を１列に整列させて球送り装置１２に送るために、球送り口８６が設けられ、この球送り口８６は前面枠１ａの内側で、球送り装置１２に連通している。また、受け皿８０の略中央側壁、つまり受け皿８０の背面側の平坦壁部８８の中央に、ファール球を受け皿に戻すためのファール球出口８９が設けられ、払出口８１とファール球出口８９との間に、突出長さより幅の狭い突堤状の膨出部８５が、前方に突出すように設けられる。
【００３２】
また、上記と同様に、受け皿８０の流下面は、払出口８１側から球送り口８６側に向かってなだらかに下方に傾斜して形成されている。さらに、受け皿８０のの底部には、払出口８１近傍の流下面に第１流下面８２が形成され、皿球抜き穴１６を通る段差８３を介してその下流側に第２流下面８４が形成され、受け皿８０の払出口８１近傍の第１流下面８２から膨出部８５近傍の第２流下面８４へと下がる段差８３が設けられている。
【００３３】
さらに、受け皿８０内の平坦壁部８８に対向した内側前部には、上記と同様に、凸状曲面壁部８７が内側に膨出するように設けられ、これにより、受け皿８０内の下流部分が徐々に狭窄され、遊技球の流れを最終的に１列に整列させるように形成されている。
【００３４】
この遊技機の受け皿８０においても、払出口８１から受け皿８０内に払い出された遊技球は、一旦払出口８１の直前の比較的広い第１流下面８２を前方に進み、その後、前部の曲面壁部により右側に方向を変えて下流側に流下していく。つまり、払出口８１の直前の比較的広い第１流下面８２を前方に進みながら、膨出部８５を巻くように右に曲がり、球送り口８６に向けて流下していく。
【００３５】
したがって、多くの賞球が払い出された場合であっても、遊技球は、受け皿８０内で膨出部８５を巻くように流れ、膨出部が無い場合に比べ、その流下距離は比較的長くなる。このため、遊技球の流路が、球送り口８６に近づくにしたがい狭められるものの、その流下距離に対して狭窄される割合が緩やかとなるから、、受け皿８０内を流下する遊技球が相互に圧接する圧力が減少し、これによって球詰まりが生じにくくなり、遊技球はスムーズに球送り口８６に流下することができる。
【図面の簡単な説明】
【００３６】
【図１】本発明の一実施形態を示すパチンコ遊技機の正面図である。
【図２】パチンコ遊技機の中枠１の正面図である。
【図３】受け皿部分の斜視図である。
【図４】受け皿の平面説明図である。
【図５】前面枠を開いた状態の賞球通路部分の斜視図である。
【図６】他の実施形態を示す受け皿部分の斜視図である。
【図７】他の実施形態の受け皿の平面説明図である。
【符号の説明】
【００３７】
１−中枠
１ａ−前面枠
７−受け皿
１０−球発射装置
１１−賞球払出装置
７１−払出口
７２−第１流下面
７３−段差
７４−第２流下面
７５−膨出部
７６−球送り口
【図１】
2006212270.tif 000003
【図２】
2006212270.tif 000004
【図３】
2006212270.tif 000005
【図４】
2006212270.tif 000006
【図５】
2006212270.tif 000007
【図６】
2006212270.tif 000008
【図７】
2006212270.tif 000009